(57)【特許請求の範囲】
【請求項１】
印字媒体であるテープと前記テープの種類を示す指標部とを有するテープカセットが着脱可能に装着される装着部と、
前記装着部に装着された前記テープカセットに収納された前記テープを搬送する搬送手段と、
前記搬送手段によって搬送される前記テープに印字を行う印字手段と、
前記装着部に装着された前記テープカセットの前記指標部に近接する第一位置と、前記装着部に装着された前記テープカセットの前記指標部から離隔する第二位置との間で移動可能なセンサ部と、
前記センサ部を前記第一位置と前記第二位置との間で移動可能に支持する支持部と、
前記装着部に対して閉じられた第一状態と、前記装着部に対して開かれた第二状態とに切り替え可能であり、前記第一状態において前記装着部の第一方向に配置されるカバーと、
前記カバーに設けられ、前記カバーが前記第二状態から前記第一状態に切り替わる閉塞過程で、前記センサ部を前記第二位置から前記第一位置に移動させるカム部と
を備えた印字装置であって、
前記センサ部は、
前記装着部に装着された前記テープカセットの前記指標部を向く第一面と、前記第一面から前記第一面とは反対側の面まで第二方向に貫通する第一貫通孔と、前記第一面から前記第二方向とは反対の第三方向に突出し、且つ、前記指標部が示す前記テープの種類に応じて選択的に押下される複数の検出スイッチとを有するセンサ基板と、
前記第二方向に貫通する第二貫通孔と、前記第二貫通孔の前記第二方向の開口縁の少なくとも一部を形成する面である第一傾斜面とを有し、前記センサ基板よりも前記第二方向に設けられる誘導部と、
前記誘導部を前記センサ基板に固定する固定部と、
前記第一面に接触して前記センサ基板を支持する接触部と、前記第一貫通孔および前記第二貫通孔を貫通して前記第二方向に延びる軸部とを有する保持部と
を備え、
前記第一傾斜面は、前記第一方向および前記第二方向と直交する第四方向に前記第二貫通孔と並ぶ位置から、前記第一方向に沿って前記第三方向に傾斜する方向に延び、
前記第一傾斜面の前記第四方向の最小長さは、少なくとも前記第二貫通孔の前記第四方向の最大長さよりも大きく、
前記軸部は、
前記軸部に対して相対的に移動可能に前記支持部が前記第二方向に貫通する第三貫通孔と、
前記第一傾斜面の前記第二方向の端部よりも前記第二方向に設けられ、前記第一面と略平行な第二面と、
前記第二面の前記第一方向の端部に連続して設けられ、前記第一方向に沿って前記第三方向に傾斜する第二傾斜面と
を有し、
前記カム部は、
前記カム部のうち前記カバーとは反対側の端部に、前記第四方向に並んで配置された一対の突出部と、
前記一対の突出部の間に形成される溝部と
を有し、
前記溝部の前記カバーとは反対側の端部の前記第四方向の長さは、少なくとも前記支持部の前記第四方向の最大長さよりも大きく、且つ、前記第二面の前記第四方向の最大長さよりも小さく、
前記カム部は、前記閉塞過程において、前記支持部が前記溝部内に進入し、且つ、前記一対の突出部が前記第一傾斜面、前記第二傾斜面、前記第二面の順に接触することで、前記センサ部を前記第二位置から前記第一位置に移動させる
ことを特徴とする印字装置。
【請求項２】
前記第二傾斜面の前記第三方向の端部は、前記開口縁における前記第三方向の端部よりも前記第三方向に位置することを特徴とする請求項１に記載の印字装置。
【請求項３】
前記固定部は、前記誘導部に設けられた前記第三方向に貫通する貫通孔であって、前記第二方向の部位に座ぐりが形成される第四貫通孔と、前記第四貫通孔を貫通して前記誘導部を前記センサ基板に連結する連結部材とを備え、
前記連結部材の前記第二方向の端部は、前記座ぐりの開口縁における前記第三方向の端部よりも前記第三方向に位置することを特徴とする請求項１または２に記載の印字装置。
【請求項４】
前記固定部は、前記軸部よりも前記第一方向とは反対方向に位置することを特徴とする請求項１から３のいずれかに記載の印字装置。
【請求項５】
前記一対の突出部は、第一突出部および第二突出部からなり、
前記第一傾斜面の前記第四方向の最小長さは、前記第一突出部のうち前記溝部とは反対側の端部と、前記第二突出部のうち前記溝部とは反対側の端部との間の距離よりも大きいことを特徴とする請求項１から４のいずれかに記載の印字装置。
【請求項６】
印字媒体であるテープと前記テープの種類を示す指標部とを有するテープカセットが着脱可能に装着される装着部と、
前記装着部に装着された前記テープカセットに収納された前記テープを搬送する搬送手段と、
前記搬送手段によって搬送される前記テープに印字を行う印字手段と、
前記装着部に装着された前記テープカセットの前記指標部に近接する第一位置と、前記装着部に装着された前記テープカセットの前記指標部から離隔する第二位置との間で移動可能なセンサ部と、
前記センサ部を前記第一位置と前記第二位置との間で移動可能に支持する支持部と、
前記装着部に対して閉じられた第一状態と、前記装着部に対して開かれた第二状態とに切り替え可能であり、前記第一状態において前記装着部の第一方向に配置されるカバーと、
前記カバーに設けられ、前記カバーが前記第二状態から前記第一状態に切り替わる閉塞過程で、前記センサ部を前記第二位置から前記第一位置に移動させるカム部と
を備えた印字装置であって、
前記センサ部は、
前記装着部に装着された前記テープカセットの前記指標部を向く第一面と、前記第一面から前記第一面とは反対側の面まで第二方向に貫通する第一貫通孔と、前記第一面から前記第二方向とは反対の第三方向に突出し、且つ、前記指標部が示す前記テープの種類に応じて選択的に押圧される複数の検出スイッチとを有するセンサ基板と、
前記第一面に接触して前記センサ基板を支持する接触部と、前記支持部が相対的に移動可能に前記第二方向に貫通する第一特定貫通孔とを有する保持部と、
前記第一面と略平行であって前記第二方向を向く特定面と、前記特定面の前記第一方向の端部から前記第一方向に沿って前記第三方向に傾斜する方向に延びる特定傾斜面と、前記支持部が相対的に移動可能に前記第二方向に貫通する第二特定貫通孔を有し、前記第一貫通孔を貫通して前記第三方向に延びる特定軸部とを有し、前記センサ基板よりも前記第二方向に設けられる誘導部と、
前記誘導部を前記保持部に固定する固定部と
を備え、
前記特定軸部の前記第三方向の端部は、前記保持部に接触し、
前記特定傾斜面の前記第一方向および前記第二方向と直行する第四方向の最小長さは、前記第二特定貫通孔の前記第四方向の最大長さよりも大きく、
前記カム部は、
前記カム部のうち前記カバーとは反対側の端部に、前記第四方向に並んで配置された一対の突出部と、
前記一対の突出部の間に形成される溝部と
を有し、
前記溝部の前記カバーとは反対側の端部の前記第四方向の長さは、少なくとも前記支持部の前記第四方向の最大長さよりも大きく、且つ、前記特定面の前記第四方向の最大長さよりも小さく、
前記カム部は、前記閉塞過程において、前記支持部が前記溝部内に進入し、且つ、前記一対の突出部が前記特定傾斜面、前記特定面の順に接触することで、前記センサ部を前記第二位置から前記第一位置に移動させる
ことを特徴とする印字装置。
【発明の詳細な説明】
【技術分野】
【０００１】
本発明は、テープに印字を行う印字装置に関する。
【背景技術】
【０００２】
従来、テープカセットに収納されたテープに印字を行う印字装置が知られている。特許文献１に記載の印字装置は、サイドセンサカムを有する上カバーと、機械式センサを有するサイドセンサ本体部とを備える。上カバーは、印字装置の本体筐体に対して開閉可能である。上カバーが本体筐体に対して閉じられると、サイドセンサカムは、サイドセンサ本体部を検出位置に移動させる。検出位置では、機械式センサに設けられた複数の検出スイッチの一部または全部が、印字装置に装着されたテープカセットによって押下される。印字装置は、複数の検出スイッチが押下されるパターンを検出することにより、テープカセットに収納されたテープの種類（例えば、テープ幅や印字態様）を検出できる。
【先行技術文献】
【特許文献】
【０００３】
【特許文献１】特開２０１３−１１１７５６号公報
【発明の概要】
【発明が解決しようとする課題】
【０００４】
上記印字装置では、サイドセンサカムは、サイドセンサ本体部を検出位置に移動させるときに負荷がかかるため、変形してしまう場合がある。この場合、サイドセンサカムは、サイドセンサ本体部を検出位置に移動させることができないおそれがあった。
【０００５】
本発明の目的は、複数の検出スイッチを備えたセンサ部を、テープの種類を検出するための位置へ適切に移動させることができる印字装置を提供することである。
【課題を解決するための手段】
【０００６】
本発明の第一態様に係る印字装置は、印字媒体であるテープと前記テープの種類を示す指標部とを有するテープカセットが着脱可能に装着される装着部と、前記装着部に装着された前記テープカセットに収納された前記テープを搬送する搬送手段と、前記搬送手段によって搬送される前記テープに印字を行う印字手段と、前記装着部に装着された前記テープカセットの前記指標部に近接する第一位置と、前記装着部に装着された前記テープカセットの前記指標部から離隔する第二位置との間で移動可能なセンサ部と、前記センサ部を前記第一位置と前記第二位置との間で移動可能に支持する支持部と、前記装着部に対して閉じられた第一状態と、前記装着部に対して開かれた第二状態とに切り替え可能であり、前記第一状態において前記装着部の第一方向に配置されるカバーと、前記カバーに設けられ、前記カバーが前記第二状態から前記第一状態に切り替わる閉塞過程で、前記センサ部を前記第二位置から前記第一位置に移動させるカム部とを備えた印字装置であって、前記センサ部は、前記装着部に装着された前記テープカセットの前記指標部を向く第一面と、前記第一面から前記第一面とは反対側の面まで第二方向に貫通する第一貫通孔と、前記第一面から前記第二方向とは反対の第三方向に突出し、且つ、前記指標部が示す前記テープの種類に応じて選択的に押下される複数の検出スイッチとを有するセンサ基板と、前記第二方向に貫通する第二貫通孔と、前記第二貫通孔の前記第二方向の開口縁の少なくとも一部を形成する面である第一傾斜面とを有し、前記センサ基板よりも前記第二方向に設けられる誘導部と、前記誘導部を前記センサ基板に固定する固定部と、前記第一面に接触して前記センサ基板を支持する接触部と、前記第一貫通孔および前記第二貫通孔を貫通して前記第二方向に延びる軸部とを有する保持部とを備え、前記第一傾斜面は、前記第一方向および前記第二方向と直交する第四方向に前記第二貫通孔と並ぶ位置から、前記第一方向に沿って前記第三方向に傾斜する方向に延び、前記第一傾斜面の前記第四方向の最小長さは、少なくとも前記第二貫通孔の前記第四方向の最大長さよりも大きく、前記軸部は、前記軸部に対して相対的に移動可能に前記支持部が前記第二方向に貫通する第三貫通孔と、前記第一傾斜面の前記第二方向の端部よりも前記第二方向に設けられ、前記第一面と略平行な第二面と、前記第二面の前記第一方向の端部に連続して設けられ、前記第一方向に沿って前記第三方向に傾斜する第二傾斜面とを有し、前記カム部は、前記カム部のうち前記カバーとは反対側の端部に、前記第四方向に並んで配置された一対の突出部と、前記一対の突出部の間に形成される溝部とを有し、前記溝部の前記カバーとは反対側の端部の前記第四方向の長さは、少なくとも前記支持部の前記第四方向の最大長さよりも大きく、且つ、前記第二面の前記第四方向の最大長さよりも小さく、前記カム部は、前記閉塞過程において、前記支持部が前記溝部内に進入し、且つ、前記一対の突出部が前記第一傾斜面、前記第二傾斜面、前記第二面の順に接触することで、前記センサ部を前記第二位置から前記第一位置に移動させることを特徴とする。
【０００７】
上記印字装置では、第一傾斜面は、第二貫通孔と第四方向に並ぶ位置から、第一方向に沿って第三方向に傾斜する方向に延びる。第一傾斜面の第四方向の最小長さは、第二貫通孔の第四方向の最大長さよりも大きい。軸部の第二方向の端部には、第二平面と第二傾斜面とが形成される。第二平面は、第一傾斜面の第二方向の端部よりも第二方向に設けられる。第二傾斜面は、軸部の第二方向の端部において、第二平面の第一方向の端部から第一方向に沿って第三方向に傾斜する方向に延びる。軸部の第三貫通孔には、支持部が貫通する。カム部は、カバーとは反対側の端部に設けられ、第四方向に並んで配置された一対の突出部と一対の突出部の間に形成される溝部とを有する。溝部のカバーとは反対側の端部の第四方向の長さは、支持部の第四方向の最大長さよりも大きく、第二面の第四方向の最大長さよりも小さい。カム部は、閉塞過程において、支持部が溝部内に進入し、且つ、一対の突出部が第一傾斜面、第二傾斜面、第二面の順に接触することで、センサ部を第二位置から第一位置に移動させる。ゆえに、誘導部は、第一傾斜面によってカム部を第二傾斜面に誘導するため、印字装置は、センサ部を第二位置から第一位置へ適切に移動させることができる。
【０００８】
本発明の第二態様に係る印字装置は、印字媒体であるテープと前記テープの種類を示す指標部とを有するテープカセットが着脱可能に装着される装着部と、前記装着部に装着された前記テープカセットに収納された前記テープを搬送する搬送手段と、前記搬送手段によって搬送される前記テープに印字を行う印字手段と、前記装着部に装着された前記テープカセットの前記指標部に近接する第一位置と、前記装着部に装着された前記テープカセットの前記指標部から離隔する第二位置との間で移動可能なセンサ部と、前記センサ部を前記第一位置と前記第二位置との間で移動可能に支持する支持部と、前記装着部に対して閉じられた第一状態と、前記装着部に対して開かれた第二状態とに切り替え可能であり、前記第一状態において前記装着部の第一方向に配置されるカバーと、前記カバーに設けられ、前記カバーが前記第二状態から前記第一状態に切り替わる閉塞過程で、前記センサ部を前記第二位置から前記第一位置に移動させるカム部とを備えた印字装置であって、前記センサ部は、前記装着部に装着された前記テープカセットの前記指標部を向く第一面と、前記第一面から前記第一面とは反対側の面まで第二方向に貫通する第一貫通孔と、前記第一面から前記第二方向とは反対の第三方向に突出し、且つ、前記指標部が示す前記テープの種類に応じて選択的に押圧される複数の検出スイッチとを有するセンサ基板と、前記第一面に接触して前記センサ基板を支持する接触部と、前記支持部が相対的に移動可能に前記第二方向に貫通する第一特定貫通孔とを有する保持部と、前記第一面と略平行であって前記第二方向を向く特定面と、前記特定面の前記第一方向の端部から前記第一方向に沿って前記第三方向に傾斜する方向に延びる特定傾斜面と、前記支持部が相対的に移動可能に前記第二方向に貫通する第二特定貫通孔を有し、前記第一貫通孔を貫通して前記第三方向に延びる特定軸部とを有し、前記センサ基板よりも前記第二方向に設けられる誘導部と、前記誘導部を前記保持部に固定する固定部とを備え、前記特定軸部の前記第三方向の端部は、前記保持部に接触し、前記特定傾斜面の前記第一方向および前記第二方向と直行する第四方向の最小長さは、前記第二特定貫通孔の前記第四方向の最大長さよりも大きく、前記カム部は、前記カム部のうち前記カバーとは反対側の端部に、前記第四方向に並んで配置された一対の突出部と、前記一対の突出部の間に形成される溝部とを有し、前記溝部の前記カバーとは反対側の端部の前記第四方向の長さは、少なくとも前記支持部の前記第四方向の最大長さよりも大きく、且つ、前記特定面の前記第四方向の最大長さよりも小さく、前記カム部は、前記閉塞過程において、前記支持部が前記溝部内に進入し、且つ、前記一対の突出部が前記特定傾斜面、前記特定面の順に接触することで、前記センサ部を前記第二位置から前記第一位置に移動させることを特徴とする。
【０００９】
上記印字装置では、特定傾斜面は、特定面の第一方向の端部から第一方向に沿って第三方向に傾斜する方向に延びる。特定傾斜面の第四方向の最小長さは、第二特定貫通孔の第四方向の長さよりも大きい。保持部の第一特定貫通孔および特定軸部の第二特定貫通孔には、支持部が相対的に移動可能に貫通する。カム部は、カバーとは反対側の端部に設けられ、第四方向に並んで配置された一対の突出部と一対の突出部の間に形成される溝部とを有する。溝部のカバーとは反対側の端部の第四方向の長さは、支持部の第四方向の最大長さよりも大きく、第二面の第四方向の最大長さよりも小さい。カム部は、閉塞過程において、支持部が溝部内に進入し、且つ、一対の突出部が特定傾斜面、特定面の順に接触することで、センサ部を第二位置から第一位置に移動させる。ゆえに、誘導部は、特定傾斜面によってカム部を特定面に誘導するため、印字装置は、センサ部を第二位置から第一位置へ適切に移動させることができる。
【図面の簡単な説明】
【００１０】
【図１】印字装置１の右後下方からの斜視図である。
【図２】本体筐体２の左前上方からの斜視図である。
【図３】開放状態、且つ、装着状態であって、保護部３６の一部を省略した本体筐体２の平面図である。
【図４】閉塞状態、且つ、装着状態であって、保護部３６の一部およびカバー５を省略した本体筐体２の平面図である。
【図５】カバー５の左後下方からの斜視図およびサイドセンサカム５５の拡大図である。
【図６】サイドセンサ本体部８の分解斜視図である。
【図７】受台８１およびサイドセンサ本体部８の組立構造を示す説明図である。
【図８】図３のＸ１−Ｘ１線矢視方向断面図である。
【図９】図４のＸ２−Ｘ２線矢視方向断面図である。
【図１０】テープカセット６の右前上方からの斜視図である。
【図１１】閉塞過程におけるサイドセンサカム５５の移動軌跡を示す説明図である。
【図１２】閉塞過程におけるサイドセンサカム５５０の移動軌跡を示す説明図である。
【図１３】サイドセンサカム５５０の左側面図である。
【図１４】固定部４１０が設けられたサイドセンサ本体部８の右側面図である。
【図１５】第二特定貫通孔９５２Ａの中心軸を通り、上下方向および左右方向が形成する平面で切ったサイドセンサ本体部８Ａの断面図である。
【発明を実施するための形態】
【００１１】
以下、本発明の第一実施形態について図面を参照して説明する。参照する図面は、本発明が採用しうる技術的特徴を説明するために用いられるものである。図面に記載されている装置の構成は、それのみに限定する趣旨ではなく、単なる説明例である。以下の説明では、図１の右上方、左下方、右下方、左上方、下方、および上方を、それぞれ、印字装置１の前方、後方、右方、左方、上方、および下方と定義する。
【００１２】
図１を参照し、第一実施形態に係る印字装置１の概略構成を説明する。印字装置１は、着脱可能なテープカセット６（図１０参照）を装着し、テープカセット６に収容された印字媒体であるテープ１００（図１０参照）に文字、数字、図形等のキャラクタを印字することが可能である。テープ１００は、印字媒体であり、例えば接着剤が塗布されて剥離紙が貼りつけられた印字テープである。テープカセット６には、加熱されることによってテープ１００にキャラクタを熱転写するインクリボン（図示略）が収容される。
【００１３】
印字装置１の形状は、略直方体状である。印字装置１は、本体筐体２とカバー５とを主に備える。本体筐体２およびカバー５は、それぞれ、樹脂製である。本体筐体２の下面の後部には、キーボード１１が設けられる。キーボード１１は、種々の文字入力等を行う。キーボード１１の前方には、機能キー群１２が設けられる。機能キー群１２は、電源の入切、印字キー等、印字装置１の各種制御を行う。機能キー群１２の前方には、液晶ディスプレイ１３が設けられる。液晶ディスプレイ１３は、入力した文字や記号等を表示する。カバー５は、本体筐体２の上側に開閉自在に装着される。以下、カバー５が本体筐体２に対して閉じられた状態を「閉塞状態」という。カバー５が本体筐体２に対して開かれた状態を「開放状態」という。開放状態から閉塞状態に切り替わる過程を「閉塞過程」という。
【００１４】
なお、本体筐体２の内部には、制御基板(図示略)、電源基板（図示略）等が設けられる。制御基板は、制御回路を構成し、印字装置１を制御する。電源基板は、電源回路を構成する。
【００１５】
図２から図４を参照し、印字装置１の内部構成を説明する。本体筐体２の上面には、開放状態で外部に開口する本体開口部２０が形成される。本体開口部２０の右側後部には、電池装着部２１が設けられる。電池装着部２１は、複数（本実施形態では、６本）の電池２１２を着脱可能である。本体開口部２０において、電池装着部２１の前側には、カセット装着部２２が設けられる。カセット装着部２２は、テープカセット６を着脱可能である。以下、カセット装着部２２にテープカセット６が装着された状態を「装着状態」という。
【００１６】
カセット装着部２２には、リボン巻取軸３３、テープ送りローラ軸３２、ヘッドホルダ２９１等が設けられる。リボン巻取軸３３は、カセット装着部２２の略中央部に立設される。リボン巻取軸３３は、テープカセット６に設けられた後述のリボン巻取スプール６３１に挿入されて回転駆動する。テープ送りローラ軸３２は、カセット装着部２２の右前角部に立設される。テープ送りローラ軸３２は、後述のテープ送りローラ６３２に挿入されて回転駆動する。ヘッドホルダ２９１は、リボン巻取軸３３の右方に立設される。ヘッドホルダ２９１の右面には、複数の発熱素子を有するサーマルヘッド２９が設けられる。印字装置１は、サーマルヘッド２９の発熱素子への通電を制御し、個々の発熱素子を個別に発熱させることで、テープカセット６から引き出されたテープ１００（図１０参照）の印字面にインクリボン(図示略)によってキャラクタを印字する。
【００１７】
本体筐体２の右前角部には、切断用ノブ１４が設けられる。切断用ノブ１４の左側には、本体開口部２０の前壁を前後方向に貫通する排出口２６が設けられる。排出口２６の後側には、切断機構１４１が設けられる。切断機構１４１は、切断用ノブ１４が本体筐体２の内側に向けて押下されることで駆動し、キャラクタが印字されたテープ１００を切断する。切断機構１４１によって切断されたテープ１００は、排出口２６から排出される。
【００１８】
排出口２６の左側には、本体開口部２０の後壁の上端部から下方に凹む凹部２７が形成される。凹部２７の下面には、下方に凹む係合口２７１が設けられる。本体開口部２０の後端部の左右両側には、下方に凹む一対の係合口２８が設けられる。
【００１９】
カセット装着部２２の右側には、平面視板状の保護部３６が設けられる。保護部３６は、後述のサイドセンサ本体部８およびローラホルダ３８の上側に配置される。なお、図３、図４では、便宜的に保護部３６を省略している。保護部３６には、保護部３６を上下方向にそれぞれ貫通するローラホルダカム案内孔３６１とサイドセンサカム案内孔３６２とが設けられる。ローラホルダカム案内孔３６１とサイドセンサカム案内孔３６２は、保護部３６において前後方向に並んで形成される。ローラホルダカム案内孔３６１には、閉塞状態で後述のローラホルダカム５４（図５参照）が貫通する。サイドセンサカム案内孔３６２には、閉塞状態で後述のサイドセンサカム５５（図５参照）が貫通する。
【００２０】
図３、図４に示すように、保護部３６の下側にはローラホルダ３８が設けられる。ローラホルダ３８の後端部には、上下方向に延びる回動軸３７が設けられる。ローラホルダ３８は、回動軸３７によって左右方向に回動可能に軸支される。ローラホルダ３８は、巻きバネ３９（図８参照）によって右方へ回動するように付勢されている。詳しくは後述するが、ローラホルダ３８は、閉塞過程で後述のローラホルダカム５４によって左方へ回動する。ローラホルダ３８は、左方に開口する開口部を有する。ローラホルダ３８の開口部の前後方向の略中央部には、プラテンローラ３０が平面視反時計回りに回転可能に軸支される。閉塞状態では、ローラホルダ３８が左方へ回動しているため、プラテンローラ３０は、テープ１００をサーマルヘッド２９に押圧する。ローラホルダ３８の開口部の前端部には、テープサブローラ３１が平面視反時計回り回転可能に軸支される。閉塞状態では、ローラホルダ３８が左方へ回動しているため、テープサブローラ３１は、テープ１００を後述のテープ送りローラ６３２（図１０参照）に押圧する。
【００２１】
保護部３６の下側、且つ、プラテンローラ３０と回動軸３７との間には、受台８１とサイドセンサ本体部８とが設けられる。受台８１は、正面視Ｌ字状であり、下面が本体開口部２０に固定される。受台８１の左面である受面８１１には、左方に延出する第一支軸８２１（図７参照）および第二支軸８２２（図７（Ｂ）参照）が設けられる。第一支軸８２１および第二支軸８２２は、それぞれ、円柱状であり、互いに平行に延びる。以下、第一支軸８２１の径（前後方向の最大長さ）を「長さＬ１」という（図７（Ａ）参照）。サイドセンサ本体部８は、第一支軸８２１と第二支軸８２２とによって左右方向に移動可能に支持される。サイドセンサ本体部８の詳細構造は後述する。
【００２２】
図５を参照し、カバー５の構成を説明する。カバー５は、閉塞状態において本体筐体２の上側に配置して本体開口部２０を覆う。カバー５の形状は、平面視略矩形状である。カバー５には、押圧部５１、一対の係合片５２、ローラホルダカム５４、サイドセンサカム５５等が設けられる。押圧部５１は、カバー５の前端部における左右方向中央部よりも左側から下方に延出する板状部材である。押圧部５１は、閉塞状態において凹部２７（図２参照）を前側から覆う。
【００２３】
押圧部５１の下端部の中央部には、下方に突出する係合片５１１が設けられる。係合片５１１は、係合口２７１（図２参照）に係合可能である。一対の係合片５２は、カバー５の後端部の左右両側から下方に突出する。一対の係合片５２は、それぞれ、一対の係合口２８（図２参照）に係合可能である。
【００２４】
ローラホルダカム５４は、カバー５の右前端部近傍から下方に突出するカム部材である。ローラホルダカム５４の形状は、上下方向を長手方向とした略直方体状であり、その先端部は正面視略三角形状である。詳しくは後述するが、ローラホルダカム５４は、閉塞過程で、ローラホルダ３８を左右方向に移動させる（図３、図４参照）。
【００２５】
サイドセンサカム５５は、カバー５の右端部近傍における前後方向略中央部から下方に突出するカム部材である。詳しくは後述するが、サイドセンサカム５５は、閉塞過程で、サイドセンサ本体部８を左右方向に移動させる（図８、図９参照）。
【００２６】
サイドセンサカム５５は、平板部５５１、第一突出部５５２、および第二突出部５５３を備える。平板部５５１は、側面視略矩形状の板状部材である。第一突出部５５２および第二突出部５５３は、平板部５５１の下端部（カバー５とは反対側の端部）に前後方向に並んで配置された一対の突出部である。第一突出部５５２は、第二突出部５５３よりも前側に配置される。
【００２７】
第一突出部５５２は、第一部材５５２Ａと第二部材５５２Ｂとを備える。第一部材５５２Ａは、前後方向および上下方向に延びる側面視略矩形状の板状部材である。第二部材５５２Ｂは、第一部材５５２Ａの後端部から左方に延びる正面視略矩形状の板状部材である。第二部材５５２Ｂの下端部は、左方に沿って上方に傾斜する方向に延びる。第二部材５５２Ｂの左端部は、閉塞状態において後述の基準面９５３（図６参照）と略平行に延びる。第二部材５５２Ｂの上端部は、カバー５に接続される。
【００２８】
第二突出部５５３は、第一部材５５３Ａと第二部材５５３Ｂとを備える。第一部材５５３Ａは、前後方向および上下方向に延びる側面視略矩形状の板状部材である。第二部材５５３Ｂは、第一部材５５３Ａの前端部から左方に延びる正面視略矩形状の板状部材である。第二部材５５３Ｂの下端部は、左方に沿って上方に傾斜する方向に延びる。第二部材５５３Ｂの左端部は、閉塞状態において後述の基準面９５３と略平行に延びる。第二部材５５３Ｂの上端部は、カバー５に接続される。第一実施形態では、第二突出部５５３の上下方向の長さは、第一突出部５５２の上下方向の長さよりも大きい。
【００２９】
第一突出部５５２と第二突出部５５３との間には、溝部５５４が形成される。溝部５５４は、第一部材５５２Ａの後端部、平板部５５１の下端部、および第一部材５５３Ａの前端部によって囲まれた部位である。以下、第一突出部５５２のうち溝部５５４とは反対側の端部と、第二突出部５５３のうち溝部５５４とは反対側の端部との前後方向における間の距離を「距離Ｄ１」という。溝部５５４の下端部（カバー５とは反対側の端部）における前後方向の長さを「長さＬ２」という。長さＬ２は、長さＬ１よりも大きい。
【００３０】
カバー５の前後方向の略中央部の左部には、平面視略矩形状に開口するカバー開口部５６が形成される。カバー開口部５６は、装着状態、且つ、閉塞状態において後述の窓部６６（図３参照）に対向する。
【００３１】
カバー５の下面には、複数の押さえピン５７１〜５７５が立設される。複数の押さえピン５７１〜５７５は、装着状態、且つ、閉塞状態においてテープカセット６の上面をカセット装着部２２に押圧する。これにより、テープカセット６は、カセット装着部２２に対して上下方向の位置を位置決めされる。
【００３２】
上記構成によれば、カバー５は、開放状態から閉塞状態に切り替えられる場合、一対の係合片５２が一対の係合口２８にそれぞれ係合する。次いで、閉塞過程において、カバー５は、それぞれ係合した一対の係合片５２および一対の係合口２８を回動軸として、前側下方に回動する。次いで、カバー５は、係合片５１１と係合口２７１とが係合し、開放状態から閉塞状態に切り替えられる。
【００３３】
カバー５は、閉塞状態から開放状態に切り替えられる場合、押圧部５１が内側へ押下されながら、それぞれ係合した一対の係合片５２および一対の係合口２８を回動軸として、後側上方に回動する。これにより、係合片５１１と係合口２７１との係合が解除され、カバー５は閉塞状態から開放状態に切り替えられる。
【００３４】
図６、図７を参照し、サイドセンサ本体部８の詳細構造を説明する。図７（Ａ）は、サイドセンサ本体部８および受台８１の平面図である。図７（Ｂ）は、図７（Ａ）のＸ３−Ｘ３線矢視方向断面図である。サイドセンサ本体部８の形状は、略直方体状である。サイドセンサ本体部８は、機械式センサ８５、誘導部４、固定部４００、および保持部９１を備える。
【００３５】
図６に示すように、機械式センサ８５は、基板８６とスイッチ部８７とを備える。基板８６の形状は、側面視略矩形状の板状である。基板８６の左面には、保持面８６１が形成される。保持面８６１は、閉塞状態、且つ、装着状態において、後述の指標面７０（図１０参照）を向く面である。基板８６の下端部の後部には、側面視略矩形状に上方に凹む凹部８８１が形成される。基板８６の前端部における上下方向の中央部には、側面視矩形状に後方に凹む係合部８８２が形成される。基板８６における凹部８８１の上側には、側面視円形状の第一貫通孔８９が形成される。第一貫通孔８９は、基板８６における上下方向の略中央部を左右方向に貫通する。
【００３６】
スイッチ部８７は、保持面８６１において、第一貫通孔８９よりも前側に配置される。スイッチ部８７には、左方に突出する複数（第一実施形態では、４つ）のスイッチ端子８７１〜８７４（図７（Ａ）参照）が設けられる。４つのスイッチ端子８７１〜８７４は、それぞれ、後述する４つの指標部６５１〜６５４（図１０参照）に対応する位置に設けられる。４つのスイッチ端子８７１〜８７４の各形状は、正面視略三角形状の平板状である。４つのスイッチ端子８７１〜８７４は、それぞれ独立してスイッチ部８７に対して進退可能である。機械式センサ８５は、スイッチ端子８７１〜８７４の少なくとも一つが押下された場合には、押下されたスイッチ端子に応じてオン信号を制御回路(図示略)に出力するように構成される。制御回路は、機械式センサ８５から入力された出力信号に基づいてテープ１００の種類（例えば、テープ幅等）を判別可能である。
【００３７】
誘導部４は、基板８６の右面の後側略半分に設けられる板状の部材である。誘導部４の下端部の後部には、側面視略矩形状に上方に凹む凹部４１が形成される。凹部４１の形状は、凹部８８１の形状と略等しい。誘導部４の右面には、特定面４２と第一傾斜面４３とが形成される。特定面４２は、誘導部４の右面の下側略半分に設けられ、保持面８６１と略平行に延びる面である。第一傾斜面４３は、特定面４２の上端部に連続して設けられ、上方に沿って左方に傾斜する方向に延びる面である。
【００３８】
誘導部４の後部における上下方向の略中央部には、左右方向に貫通する側面視円形状の第二貫通孔４４が形成される。第二貫通孔４４の径は、第一貫通孔８９の径と略等しい。第二貫通孔４４の右側の開口縁は、特定面４２と第一傾斜面４３とによって形成される。つまり、第一傾斜面４３は、前後方向に第二貫通孔４４と並ぶ位置から上方に沿って左方に傾斜する方向に延びる。以下、第一傾斜面４３の前端部から後端部までの前後方向の長さのうち最小長さを「長さＤ２」という。なお、特定面４２の前後方向の最大長さは、長さＤ２と略等しい。第二貫通孔４４の径（前後方向の最大長さ）を「長さＤ３」という。長さＤ１は、長さＤ３よりも大きい。長さＤ２は、長さＤ１よりも大きい。
【００３９】
固定部４００は、第四貫通孔４０１およびネジ４０３を備える。第四貫通孔４０１は、第一傾斜面４３の略中央部に設けられ、側面視円形状に誘導部４を左右方向に貫通する。第四貫通孔４０１の右部には、座ぐり４０２が形成される。ネジ４０３は、第四貫通孔４０１を貫通し、基板８６に締め込まれることにより、誘導部４を基板８６に連結する。以下、座ぐり４０２の上端部における左右方向の長さを「長さＴ１」という。ネジ４０３の頭部における左右方向の長さを「長さＴ２」という。長さＴ１は、長さＴ２よりも大きい。ゆえに、ネジ４０３の右端部は、座ぐり４０２の開口縁に囲まれた領域よりも左方に位置する。換言すると、ネジ４０３が基板８６に締め込まれた場合、正面視でネジ４０３の頭部全体が座ぐり４０２の内部に収まるため、ネジ４０３の頭部は第一傾斜面４３よりも右方に突出しない。
【００４０】
保持部９１は、枠部９２、規制部９３、係合部９４、およびガイド軸９５を備える。枠部９２は、上下方向および前後方向に延びる板状の基部と、基部の周縁に沿って右方に突出する周壁とを有する、右側に開口する箱状である。枠部９２の周壁の右端部は、枠部９２の開口縁に沿って接触面９２３を形成する。接触面９２３は、保持面８６１と略平行に延びる平面である。枠部９２の基部の略中央には、左右方向に貫通する側面視略矩形状のスイッチ開口部９６が形成される。４つのスイッチ端子８７１〜８７４は、スイッチ開口部９６から左方に突出する。枠部９２の左面の後方上側には、左方に突出する基準片８４（図７参照）が設けられる。
【００４１】
規制部９３は、枠部９２の後下部から右方に突出する側面視Ｕ字状の部材である。規制部９３の前後方向の長さは、凹部８８１および凹部４１の各前後方向の長さよりもわずかに小さい。規制部９３は、凹部８８１および凹部４１に挿入され、凹部４１よりも右方に突出する。規制部９３には、左右方向に貫通する側面視円形状の補助貫通孔９３２が形成される。補助貫通孔９３２の径は、第二支軸８２２の径よりもわずかに大きい。補助貫通孔９３２には、第二支軸８２２が貫通する。規制部９３の右端部は、補助貫通孔９３２の輪郭に沿って補助面９３１を形成する。補助面９３１は、保持面８６１と略平行に延びる。
【００４２】
係合部９４は、枠部９２の前端部における左右方向の中央部から上方に突出する板状部材である。保持部９１は、係合部９４が係合部８８２に係合することで機械式センサ８５に固定される。この場合、接触面９２３は、保持面８６１と接触して機械式センサ８５を支持する。
【００４３】
ガイド軸９５は、枠部９２の後部における左右方向の略中央部から右方に突出する円柱状の軸部材である。ガイド軸９５の外径は、第一貫通孔８９および第二貫通孔４４の各径よりもわずかに小さい。ガイド軸９５は、第一貫通孔８９および第二貫通孔４４を貫通し、第二貫通孔４４よりも右方に突出する。
【００４４】
図７（Ｂ）に示すように、ガイド軸９５には、左右方向に貫通する第三貫通孔９５２が形成される。第三貫通孔９５２の左端部の径は、第三貫通孔９５２の右端部の径よりも大きい。第三貫通孔９５２の最小径である右端部の径は、長さＬ１よりもわずかに大きい。第三貫通孔９５２には、第一支軸８２１が貫通する。第一支軸８２１は、第三貫通孔９５２における左右方向の略中央から右側の部分と接触する。以下、ガイド軸９５の径（前後方向の最大長さ）を「長さＬ３」という。長さＬ３は、長さＬ２よりも大きい。
【００４５】
図６に示すように、ガイド軸９５の右端部は、第三貫通孔９５２の周囲に沿って基準面９５３と第二傾斜面９５４とを形成する。基準面９５３は、第一傾斜面４３の右端部よりも右方で、保持面８６１と略平行に延びる面である（図７（Ｂ）参照）。第二傾斜面９５４は、基準面９５３の上端部に連続して設けられ、上方に沿って左方に傾斜する方向に延びる面である。第二傾斜面９５４の左端部は、第二貫通孔４４の右側の開口縁における左端部よりも左方に位置する。つまり、第二貫通孔４４の右側の開口縁における左端部は、左右方向において、第二傾斜面９５４の左端部と基準面９５３との間に位置する（図７（Ｂ）参照）。なお、接触面９２３から基準面９５３までの距離は、接触面９２３から補助面９３１までの距離と等しい。したがって、基準面９５３および補助面９３１は受面８１１に同時に接触可能である（図７（Ｂ）参照）。
【００４６】
図７に示すように、第一支軸８２１の左端部近傍には、第一支軸８２１の軸から離間する方向にやや突出するバネ規制部９７が設けられる。バネ規制部９７よりも右側には、第一支軸８２１に巻回された圧縮コイルバネ８３が設けられる。圧縮コイルバネ８３は、バネ規制部９７によって第一支軸８２１の左端部から外れないように規制される。バネ規制部９７の右端部は、第三貫通孔９５２の左右方向の略中央部に設けられた段差部で係止されている。圧縮コイルバネ８３は、サイドセンサ本体部８を受面８１１の方向（右方）に付勢する。なお、基準面９５３および補助面９３１が、それぞれ、受面８１１に接触した場合、サイドセンサ本体部８は、右方への移動が規制される。
【００４７】
上記構成によれば、補助貫通孔９３２の径は、第二支軸８２２の径よりもわずかに大きい。第三貫通孔９５２の最小径である右端部の径は、長さＬ１よりもわずかに大きい。互いに平行に延びる第一支軸８２１および第二支軸８２２は、それぞれ、第三貫通孔９５２および補助貫通孔９３２を貫通する。これにより、サイドセンサ本体部８は、第一支軸８２１および第二支軸８２２に沿って移動可能である。
【００４８】
図１０を参照し、テープカセット６の概略構成を説明する。なお、以下の説明では、図１０の右下方、左上方、右上方、左下方、上方、および下方を、それぞれ、テープカセット６の右方、左方、後方、前方、上方、および下方と定義する。
【００４９】
テープカセット６の形状は、平面視略長方形の箱型状である。テープカセット６の四隅には、角部６８１が設けられる。角部６８１は、テープ１００の種類にかかわらず、同一の形状（上下方向、前後方向、および左右方向の長さ、並びに位置関係が同一）に形成される。角部６８１は、平面視略直角をなすように外側方向に突出する。ただし、右前方の角部６８１は、テープカセット６がカセット装着部２２に装着されたときに、切断機構１４１（図３参照）と干渉しないように、直角はなさない。
【００５０】
テープカセット６は、リボン巻取スプール６３１およびテープ送りローラ６３２を回転可能に支持する。リボン巻取スプール６３１には、リボン巻取軸３３が挿入される。リボン巻取スプール６３１は、リボン巻取軸３３の回転に伴って回転し、インクリボン（図示略）を巻き取る。テープ送りローラ６３２には、テープ送りローラ軸３２が挿入される。テープ送りローラ６３２は、テープ送りローラ軸３２の回転に伴って回転し、テープサブローラ３１と共に、テープ１００を搬送する。
【００５１】
テープカセット６の右側面には、アーム状に突出するアーム部６５が設けられる。ヘッド挿入部６２は、アーム部６５とアーム部６５に対向する側壁部７８１とによって、平面視略Ｕ字状に形成される。ヘッド挿入部６２には、ヘッドホルダ２９１（図３参照）が挿入される。
【００５２】
アーム部６５の右面である指標面７０の上後部には、基準孔６４１が形成される。基準孔６４１には、装着状態において、閉塞過程でサイドセンサ本体部８（図７参照）が左方に移動することにより、基準片８４（図７参照）が挿入される。
【００５３】
指標面７０には、４つの指標部６５１〜６５４が設けられる。指標部６５１〜６５４は、テープ１００の種類を判別するため、テープ１００の種類に対応した特定の配置パターンに応じて特定箇所が貫通する。例えば、図１０に示すテープカセット６では、指標部６５１〜６５４のうちの指標部６５２が貫通して孔部が形成され、指標部６５１，６５３，６５４は面部が形成される。この場合、孔部が形成された指標部６５２には、スイッチ端子８７２が貫通するため、スイッチ端子８７２は、押下されない。一方、スイッチ端子８７１，８７３，８７４は、面部が形成された指標部６５１，６５３，６５４によって押下される。このようにスイッチ端子８７１〜８７４は、予めテープの種類に応じて特定箇所が貫通する指標部６５１〜６５４によって選択的に押下される。
【００５４】
テープカセット６の上面の略中央には、前後方向を長手方向とした平面視略矩形状の窓部６６が形成される。使用者は、閉塞状態において、カバー開口部５６を介して窓部６６を視認することができ、テープ残量を確認できる。
【００５５】
上記構成によれば、テープカセット６がカセット装着部２２に装着される場合、リボン巻取スプール６３１およびテープ送りローラ６３２に、それぞれ、リボン巻取軸３３およびテープ送りローラ軸３２が挿入されながら、ヘッド挿入部６２にヘッドホルダ２９１が挿入される。これにより、テープカセット６がカセット装着部２２に装着されて、印字装置１は装着状態となる。
【００５６】
図８、図９、図１１を参照し、装着状態の印字装置１において、閉塞過程におけるサイドセンサ本体部８およびサイドセンサカム５５等の動きを説明する。図１１において、軌跡Ｑ１は、溝部５５４の中心の移動軌跡である。回動軸Ｐは、閉塞過程におけるカバー５（図５参照）の回動軸であり、それぞれ係合した一対の係合片５２（図５参照）および一対の係合口２８（図２参照）を通る左右方向に延びる軸である。点Ｇは、第一支軸８２１の中心点である。第一実施形態では、点Ｇは、回動軸Ｐよりも下方に設けられる。距離Ａは、回動軸Ｐと点Ｇとの間における前後方向の距離である。第一実施形態では、距離Ａは、例えば８０ｍｍである。距離Ｂは、回動軸Ｐと点Ｇとの間における上下方向の距離である。第一実施形態では、距離Ｂは、例えば９ｍｍである。
【００５７】
閉塞過程では、カバー５は、回動軸Ｐを回動軸として前側下方に回動する。この場合、ローラホルダカム５４およびサイドセンサカム５５は、それぞれ、ローラホルダカム案内孔３６１およびサイドセンサカム案内孔３６２に進入する。ローラホルダカム案内孔３６１にローラホルダカム５４が進入すると、ローラホルダカム５４の正面視略三角形状の先端部がローラホルダ３８の右面を左方に押圧する。これにより、ローラホルダカム５４は、回動軸３７を軸として巻きバネ３９の付勢力に抗してローラホルダ３８を左方に回動させる。この場合、プラテンローラ３０は、サーマルヘッド２９との間でテープ１００を挟み込み、且つ、テープサブローラ３１は、テープ送りローラ６３２との間でテープ１００を挟み込む。
【００５８】
第二突出部５５３の上下方向の長さは、第一突出部５５２の上下方向の長さよりも大きい。軌跡Ｑ１は、点Ｇに向かって上方から下方に向かう方向を示す。したがって、サイドセンサカム案内孔３６２にサイドセンサカム５５が進入すると、第二部材５５２Ｂ（図５参照）よりも先に第二部材５５３Ｂ（図５参照）の下端部が第一傾斜面４３に対して摺動する。これにより、サイドセンサカム５５は、サイドセンサ本体部８を圧縮コイルバネ８３の付勢力に抗して左方に移動させる。カバー５が前側下方にさらに回動すると、第二部材５５３Ｂと共に第二部材５５２Ｂの下端部が第一傾斜面４３に対して摺動する。これにより、サイドセンサカム５５は、サイドセンサ本体部８を圧縮コイルバネ８３の付勢力に抗してさらに左方に移動させる。
【００５９】
カバー５が前側下方にさらに回動すると、第一支軸８２１が溝部５５４内に進入し、第二部材５５２Ｂ，５５３Ｂの上端部が第二傾斜面９５４に対して摺動する。これにより、サイドセンサカム５５は、サイドセンサ本体部８を圧縮コイルバネ８３の付勢力に抗してさらに左方に移動させる。この場合、第二突出部５５３の上下方向の長さは、第一突出部５５２の上下方向の長さよりも大きいため、第二部材５５２Ｂ，５５３Ｂの上端部は略同時に第二傾斜面９５４に対して摺動する。
【００６０】
カバー５が前側下方にさらに回動すると、第一支軸８２１が溝部５５４内にさらに進入し、第二部材５５２Ｂ，５５３Ｂのそれぞれの左端部が略同時に基準面９５３に対して摺動する。この場合、基準面９５３と第二部材５５２Ｂ，５５３Ｂの各左端部とは略平行であるので、サイドセンサ本体部８は移動しない。これにより、テープカセット６に対するサイドセンサ本体部８の位置が決まる。以下、図９に示すように、第二部材５５２Ｂ，５５３Ｂのそれぞれの左端部が基準面９５３に接触している場合のサイドセンサ本体部８の位置を「検出位置」という。検出位置では、サイドセンサ本体部８は指標面７０に近接する。図８に示すように、基準面９５３および補助面９３１が受面８１１に接触している場合のサイドセンサ本体部８の位置を「退避位置」という。退避位置では、サイドセンサ本体部８は指標面７０から離隔する。
【００６１】
以上のように、サイドセンサカム５５は、閉塞過程において、第一支軸８２１が溝部５５４内に進入し、且つ、第一突出部５５２および第二突出部５５３が第一傾斜面４３、第二傾斜面９５４、基準面９５３の順に接触することで、サイドセンサ本体部８を退避位置から検出位置に移動させる。
【００６２】
図９に示すように、閉塞状態で、サイドセンサ本体部８が検出位置に位置する場合、スイッチ端子８７１〜８７４は、指標部６５１〜６５４によって選択的に押下される。これにより、印字装置１はテープの種類を判別できる。
【００６３】
以上説明したように、第一実施形態において、第一傾斜面４３は、第二貫通孔４４と前後方向に並ぶ位置から、上方に沿って左方に傾斜する方向に延びる。長さＤ２は、長さＤ３よりも大きい。ガイド軸９５の右端部には、基準面９５３と第二傾斜面９５４とが形成される。基準面９５３は、第一傾斜面４３の右端部よりも右方に設けられる。第二傾斜面９５４は、ガイド軸９５の右端部において、基準面９５３の上端部から上方に沿って左方に傾斜する方向に延びる。第三貫通孔９５２には、第一支軸８２１が貫通する。サイドセンサカム５５は、第一突出部５５２および第二突出部５５３と溝部５５４とを有する。第一突出部５５２および第二突出部５５３は、カバー５とは反対側の端部に設けられ、前後方向に並んで配置される。溝部５５４は、第一突出部５５２と第二突出部５５３との間に形成される。長さＬ２は、長さＬ１よりも大きく、長さＬ３よりも小さい。サイドセンサカム５５は、閉塞過程において、第一支軸８２１が溝部５５４内に進入し、且つ、第一突出部５５２および第二突出部５５３が第一傾斜面４３、第二傾斜面９５４、基準面９５３の順に接触することで、サイドセンサ本体部８を退避位置から検出位置に移動させる。ゆえに、誘導部４は、第一傾斜面４３によってサイドセンサカム５５を第二傾斜面９５４に誘導するため、印字装置１はサイドセンサカム５５によって、サイドセンサ本体部８を退避位置から検出位置へ適切に移動させることができる。
【００６４】
第二傾斜面９５４の上端部は、第二貫通孔４４の右側の開口縁における左端部よりも左方に位置する。これにより、サイドセンサカム５５は、閉塞過程において第一傾斜面４３から第二傾斜面９５４に移動するときに、ガイド軸９５の外周部に接触しづらい。したがって、印字装置１は、サイドセンサカム５５を第一傾斜面４３から第二傾斜面９５４に容易に誘導できる。
【００６５】
固定部４００は、第四貫通孔４０１とネジ４０３を備える。第四貫通孔４０１の右部には、座ぐり４０２が形成される。また、長さＴ１は、長さＴ２よりも大きい。ゆえに、ネジ４０３の右端部は、座ぐり４０２の開口縁に囲まれた領域よりも左方に位置する。これにより、サイドセンサカム５５は、閉塞過程において第一傾斜面４３に対して摺動するときに、ネジ４０３のネジ頭に接触しづらい。したがって、印字装置１は、サイドセンサカム５５を第一傾斜面４３に対して容易に摺動させることができる。
【００６６】
長さＤ２は、長さＤ１よりも大きい。これにより、第一傾斜面４３において第一突出部５５２および第二突出部５５３が接触できる面積が広くなる。したがって、誘導部４は、第一傾斜面４３によってサイドセンサカム５５を第二傾斜面９５４に誘導しやすくなるため、印字装置１は、サイドセンサカム５５によってサイドセンサ本体部８を退避位置から検出位置へ安定的に移動させることができる。
【００６７】
軌跡Ｑ１は、点Ｇに向かって上方から下方に向かう方向を示す。第二突出部５５３の上下方向の長さは、第一突出部５５２の上下方向の長さよりも大きい。これにより、第二部材５５２Ｂ，５５３Ｂの上端部は、略同時に第二傾斜面９５４に対して摺動する。同様に、第二部材５５２Ｂ，５５３Ｂの左端部は、略同時に基準面９５３に対して摺動する。したがって、印字装置１は、サイドセンサカム５５によってサイドセンサ本体部８を退避位置から検出位置へ安定的に移動させることができる。
【００６８】
なお、上記第一実施形態において、カセット装着部２２が本発明の「装着部」の一例である。テープ送りローラ軸３２が本発明の「搬送手段」の一例である。サーマルヘッド２９が本発明の「印字手段」の一例である。閉塞状態が本発明の「第一状態」の一例である。開放状態が本発明の「第二状態」の一例である。検出位置が本発明の「第一位置」の一例である。退避位置が本発明の「第二位置」の一例である。サイドセンサ本体部８が本発明の「センサ部」の一例である。第一支軸８２１が本発明の「支持部」の一例である。サイドセンサカム５５が本発明の「カム部」の一例である。保持面８６１が本発明の「第一面」の一例である。複数のスイッチ端子８７１〜８７４が本発明の「複数の検出スイッチ」の一例である。機械式センサ８５が本発明の「センサ基板」の一例である。接触面９２３が本発明の「接触部」の一例である。ガイド軸９５が本発明の「軸部」の一例である。基準面９５３が本発明の「第二面」の一例である。ネジ４０３が本発明の「連結部材」の一例である。印字装置１の上方が本発明の「第一方向」の一例である。印字装置１の右方が本発明の「第二方向」の一例である。印字装置１の左方が本発明の「第三方向」の一例である。印字装置１の前方または後方が本発明の「第四方向」である。
【００６９】
なお、本発明の印字装置１は、上記第一実施形態に限定されるものではなく、種々の変更が可能である。例えば、図１２に示すように、点Ｇは、回動軸Ｐよりも上方に設けられてもよい。軌跡Ｑ２は、後述の溝部５４０の中心の移動軌跡である。変形例では、距離Ａは、例えば７０ｍｍである。変形例では、距離Ｂは、例えば１０ｍｍである。この場合、軌跡Ｑ２は、点Ｇに向かって下方に沿って前方に傾斜する方向を示す。この場合、印字装置１は、サイドセンサカム５５の代わりにサイドセンサカム５５０を備えてもよい。
【００７０】
図１３を参照し、サイドセンサカム５５０を説明する。サイドセンサカム５５０は、平板部５１０、第一突出部５２０、および第二突出部５３０を備える。平板部５１０は、側面視略矩形状の板状部材である。一対の突出部である第一突出部５２０および第二突出部５３０は、平板部５１０のカバー５とは反対側の端部に前後方向に並んで配置される。第一突出部５２０は、第二突出部５３０よりも前側に配置される。
【００７１】
第一突出部５２０は、第一部材５２０Ａと第二部材５２０Ｂとを備える。第一部材５２０Ａは、前後方向および上下方向に延びる側面視略矩形状の板状部材である。第一部材５２０Ａの後端部は、下方に沿って前方に傾斜する方向に延びる。第二部材５２０Ｂは、第一部材５２０Ａの後端部から左方に延びる正面視略矩形状の板状部材である。第二部材５２０Ｂの下端部は、左方に沿って上方に傾斜する方向に延びる。第二部材５２０Ｂの左端部は、閉塞状態において基準面９５３（図６参照）と略平行に延びる。第二部材５２０Ｂの上端部は、カバー５に接続される。
【００７２】
第二突出部５３０は、第一部材５３０Ａと第二部材５３０Ｂとを備える。第一部材５３０Ａは、前後方向および上下方向に延びる側面視略矩形状の板状部材である。第一部材５３０Ａの前端部は、下方に沿って前方に傾斜する方向に、第一部材５２０Ａの後端部と略平行に延びる。第二部材５３０Ｂは、第一部材５３０Ａの前端部から左方に延びる正面視略矩形状の板状部材である。第二部材５３０Ｂの下端部は、左方に沿って上方に傾斜する方向に延びる。第二部材５３０Ｂの左端部は、閉塞状態において基準面９５３と略平行に延びる。第二部材５３０Ｂの上端部は、カバー５に接続される。サイドセンサカム５５０では、第二突出部５３０の上下方向の長さは、第一突出部５２０の上下方向の長さよりも小さい。
【００７３】
第一突出部５２０と第二突出部５３０との間には、溝部５４０が形成される。溝部５４０は、第一部材５２０Ａの後端部、平板部５１０の下端部、および第一部材５３０Ａの前端部によって囲まれた部位である。
【００７４】
上記構成によれば、図１２に示すように、カバー５が前側下方に回動すると、第二突出部５３０が第一傾斜面４３に対して摺動する。これにより、サイドセンサカム５５０は、サイドセンサ本体部８を圧縮コイルバネ８３（図７参照）の付勢力に抗して左方に移動させる。カバー５が前側下方にさらに回動すると、第二突出部５３０が第二傾斜面９５４に接触する前に、第一突出部５２０が第二突出部５３０と共に、第一傾斜面４３に対して摺動する。これにより、サイドセンサカム５５０は、サイドセンサ本体部８を圧縮コイルバネ８３の付勢力に抗して左方にさらに移動させる。
【００７５】
カバー５が前側下方にさらに回動すると、第一支軸８２１が溝部５４０内に進入し、第一突出部５２０と第二突出部５３０とが第二傾斜面９５４に対して摺動する。これにより、サイドセンサカム５５０は、サイドセンサ本体部８を圧縮コイルバネ８３の付勢力に抗して左方にさらに移動させる。この場合、第二突出部５３０の上下方向の長さは、第一突出部５２０の上下方向の長さよりも小さいため、第一突出部５２０と第二突出部５３０とは略同時に第二傾斜面９５４に対して摺動する。カバー５が前側下方にさらに回動すると、第一支軸８２１が溝部５４０内にさらに進入し、第一突出部５２０と第二突出部５３０とが略同時に基準面９５３に対して摺動する。これにより、テープカセット６に対するサイドセンサ本体部８の位置が決まる。
【００７６】
以上のように、サイドセンサカム５５０は、閉塞過程においてサイドセンサ本体部８を退避位置から検出位置に移動させる。軌跡Ｑ２は、点Ｇに向かって下方に沿って前方に傾斜する方向を示す。第二突出部５３０の上下方向の長さは、第一突出部５２０の上下方向の長さよりも小さい。これにより、第一突出部５２０と第二突出部５３０とは、略同時に第二傾斜面９５４に対して摺動する。同様に、第一突出部５２０と第二突出部５３０とは、略同時に基準面９５３に対して摺動する。したがって、印字装置１は、サイドセンサカム５５０によってサイドセンサ本体部８を退避位置から検出位置へ安定的に移動させることができる。
【００７７】
印字装置１は、固定部４００の代わりに、図１４に示すように、固定部４１０を備えてもよい。固定部４１０が固定部４００と異なる点は、設けられる位置のみである。固定部４１０が誘導部４を基板８６に固定する方法は固定部４００と同じであるため、説明は省略する。固定部４１０は、誘導部４の前側下方に設けられる。固定部４１０の上端部は、ガイド軸９５の下端部よりも下方に位置する。すなわち、固定部４１０は、誘導部４において、サイドセンサカム５５が接触する位置とは異なる位置に設けられる。したがって、印字装置１は、閉塞過程において、サイドセンサカム５５を、第一傾斜面４３、第二傾斜面９５４、および基準面９５３に対して容易に摺動させることができる。
【００７８】
以下、図１５を参照し、本発明の第二実施形態を説明する。なお、第二実施形態に係る印字装置１０は、サイドセンサ本体部８の代わりにサイドセンサ本体部８Ａを備える点で第一実施形態の印字装置１とは異なる。サイドセンサ本体部８Ａについてのみ説明し、他の部材の説明は省略する。なお、サイドセンサ本体部８Ａにおいて、第一実施形態のサイドセンサ本体部８と同等形状の部材には同一符号付して説明を省略する。以下、図１５の上方、下方、右方、左方、表面側、および裏面側を、それぞれ、サイドセンサ本体部８Ａの右方、左方、上方、下方、後方、および前方と定義する。
【００７９】
サイドセンサ本体部８Ａは、機械式センサ８５、保持部９１Ａ、誘導部４Ａ、および一対のネジ４００Ａを備える。保持部９１Ａは、ガイド軸９５の代わりに延出部９８Ａを備える点で保持部９１とは異なる。延出部９８Ａには、左右方向に貫通する側面視円形状の第一特定貫通孔９９Ａが形成される。延出部９８Ａおよび第一特定貫通孔９９Ａは、それぞれ、図７（Ｂ）に示すガイド軸９５および第三貫通孔９５２における接触面９２３よりも左側の部分と同等形状である。
【００８０】
誘導部４Ａは、基板８６の右面の後側略半分に設けられる。誘導部４Ａの形状は、略直方体状である。誘導部４Ａは、第二貫通孔４４の代わりに特定ガイド軸９５Ａを備える点で誘導部４とは異なる。特定ガイド軸９５Ａには、左右方向に貫通する側面視円形状の第二特定貫通孔９５２Ａが形成される。特定ガイド軸９５Ａは、誘導部４Ａの後部における上下方向の略中央部から左右方向に延び、第一貫通孔８９を貫通する。特定ガイド軸９５Ａの左端部は、延出部９８Ａの右端部に接触する。このとき、第二特定貫通孔９５２Ａおよび第一特定貫通孔９９Ａは、左右方向に連通する。第二特定貫通孔９５２Ａは、図７（Ｂ）に示す第三貫通孔９５２における接触面９２３よりも右側の部分と同等形状である。なお、第二特定貫通孔９５２Ａおよび第一特定貫通孔９９Ａには、第一支軸８２１が貫通する。第二特定貫通孔９５２Ａの径（前後方向の最大長さ）は、長さＬ１よりもわずかに大きい。したがって、サイドセンサ本体部８Ａは、第一支軸８２１および第二支軸８２２に沿って移動可能である。
【００８１】
一対のネジ４００Ａは、延出部９８Ａの上下両側に設けられる。一対のネジ４００Ａは、それぞれ、保持部９１Ａの枠部９２側から枠部９２、基板８６、誘導部４Ａの順に貫通し、保持部９１Ａ、機械式センサ８５、および誘導部４Ａを固定する。
【００８２】
上記構成によれば、サイドセンサカム５５は、閉塞過程において、第一支軸８２１が溝部５５４内に進入し、且つ、第一突出部５５２および第二突出部５５３が第一傾斜面４３、特定面４２の順に接触することで、サイドセンサ本体部８Ａを退避位置から検出位置に移動させる。詳細には、サイドセンサカム案内孔３６２にサイドセンサカム５５が進入すると、第二部材５５３Ｂの下端部が第一傾斜面４３に対して摺動する。これにより、サイドセンサカム５５は、サイドセンサ本体部８Ａを圧縮コイルバネ８３の付勢力に抗して左方に移動させる。カバー５が前側下方にさらに回動すると、第二部材５５３Ｂと共に第二部材５５２Ｂの下端部が第一傾斜面４３に対して摺動する。これにより、サイドセンサカム５５は、サイドセンサ本体部８Ａを圧縮コイルバネ８３の付勢力に抗してさらに左方に移動させる。
【００８３】
カバー５が前側下方にさらに回動すると、第一支軸８２１が溝部５５４内に進入し、第二部材５５２Ｂ，５５３Ｂのそれぞれの左端部が特定面４２に対して摺動する。この場合、特定面４２と第二部材５５２Ｂ，５５３Ｂのそれぞれの左端部とは略平行であるので、サイドセンサ本体部８Ａは移動しない。これにより、テープカセット６に対するサイドセンサ本体部８Ａの位置（検出位置）が決まる。
【００８４】
以上説明したように、サイドセンサ本体部８Ａは、保持部９１が備えるガイド軸９５および第三貫通孔９５２における接触面９２３よりも左側の部分と同等形状である部材（延出部９８Ａおよび第一特定貫通孔９９Ａ）を誘導部４Ａが備える点で、サイドセンサ本体部８とは異なる。
【００８５】
第一傾斜面４３は、特定面４２の上端部から上方に沿って左方に傾斜する方向に延びる。長さＤ２は、第二特定貫通孔９５２Ａの前後方向の長さよりも大きい。第一特定貫通孔９９Ａおよび第二特定貫通孔９５２Ａには、第一支軸８２１が貫通する。サイドセンサ本体部８Ａは、第一支軸８２１に沿って移動可能である。サイドセンサカム５５は、第一突出部５５２および第二突出部５５３と溝部５５４とを有する。第一突出部５５２および第二突出部５５３は、カバー５とは反対側の端部に設けられ、前後方向に並んで配置される。溝部５５４は、第一突出部５５２と第二突出部５５３との間に形成される。長さＬ２は、長さＬ１よりも大きく、特定面４２の前後方向の最大長さよりも小さい。サイドセンサカム５５は、閉塞過程において、第一支軸８２１が溝部５５４内に進入し、且つ、第一突出部５５２および第二突出部５５３が第一傾斜面４３、特定面４２の順に接触することで、サイドセンサ本体部８Ａを退避位置から検出位置に移動させる。ゆえに、誘導部４Ａは、第一傾斜面４３によってサイドセンサカム５５を特定面４２に誘導するため、印字装置１０は、サイドセンサカム５５によってサイドセンサ本体部８Ａを退避位置から検出位置へ適切に移動させることができる。
【００８６】
なお、上記第二実施形態において、カセット装着部２２が本発明の「装着部」の一例である。テープ送りローラ軸３２が本発明の「搬送手段」の一例である。サーマルヘッド２９が本発明の「印字手段」の一例である。閉塞状態が本発明の「第一状態」の一例である。開放状態が本発明の「第二状態」の一例である。検出位置が本発明の「第一位置」の一例である。退避位置が本発明の「第二位置」の一例である。サイドセンサ本体部８Ａが本発明の「センサ部」の一例である。サイドセンサカム５５が本発明の「カム部」の一例である。保持面８６１が本発明の「第一面」の一例である。複数のスイッチ端子８７１〜８７４が本発明の「複数の検出スイッチ」の一例である。機械式センサ８５が本発明の「センサ基板」の一例である。接触面９２３が本発明の「接触部」の一例である。第一傾斜面４３が本発明の「特定傾斜面」の一例である。特定ガイド軸９５Ａが本発明の「特定軸部」の一例である。一対のネジ４００Ａが本発明の「固定部」の一例である。印字装置１０の上方が本発明の「第一方向」の一例である。印字装置１０の右方が本発明の「第二方向」の一例である。印字装置１０の左方が本発明の「第三方向」の一例である。印字装置１０の前方または後方が本発明の「第四方向」の一例である。
【符号の説明】
【００８７】
１，１０          印字装置
４，４Ａ          誘導部
５                カバー
８，８Ａ          サイドセンサ本体部
２２              カセット装着部
２９              サーマルヘッド
３２              テープ送りローラ軸
５５，５５０      サイドセンサカム
８５              機械式センサ
４００，４１０    固定部
４００Ａ          ネジ
８２１            第一支軸
【図１】
0006358168.tif 000002
【図２】
0006358168.tif 000003
【図３】
0006358168.tif 000004
【図４】
0006358168.tif 000005
【図５】
0006358168.tif 000006
【図６】
0006358168.tif 000007
【図７】
0006358168.tif 000008
【図８】
0006358168.tif 000009
【図９】
0006358168.tif 000010
【図１０】
0006358168.tif 000011
【図１１】
0006358168.tif 000012
【図１２】
0006358168.tif 000013
【図１３】
0006358168.tif 000014
【図１４】
0006358168.tif 000015
【図１５】
0006358168.tif 000016